(57)【要約】【課題】襞を形成、保持可能するとともに、生地を多く消費せず、ロッドに対するリングスライダの摺動を円滑に行えるカーテンの襞形成保持構造等の提供を課題とする。【解決手段】カーテン生地（２）の上端（２０）にリングスライダ（Ｓ）を列設したカーテンと、該カーテンの各リングスライダ（Ｓ）を連通して当該カーテンを懸架するロッド（４）とを有するカーテンの襞形成保持構造であって、リングスライダ（Ｓ）は、二つのリングスライダ部材（１）（１）と帯体（１５）とからなり、前記各リングスライダ部材（１）（１）は、夫々相互に係合する雄リング部材（１０）と雌リング部材（１２）とから形成され、また、前記帯体（１５）は、その両端に抜止体（１４）（１４）を形成し、前記雄リング部材（１０）と雌リング部材（１２）とによって、前記帯体（１５）の両端に形成した抜止体（１４）（１４）を離脱不能に挟みこんで構成したカーテンの襞形態保持構造等を解決手段とする。【選択図】        図３
2004173983.tif 000002
【特許請求の範囲】
【請求項１】
カーテン生地（２）の上端（２０）にリングスライダ（Ｓ）を列設したカーテンと、該カーテンの各リングスライダ（Ｓ）を連通して当該カーテンを懸架するロッド（４）とを有するカーテンの襞形成保持構造であって、
リングスライダ（Ｓ）は、二つのリングスライダ部材（１）（１）と帯体（１５）とからなり、
前記各リングスライダ部材（１）（１）は、夫々相互に係合する雄リング部材（１０）と雌リング部材（１２）とから形成され、また、前記帯体（１５）は、その両端に抜止体（１４）（１４）を形成し、
前記雄リング部材（１０）と雌リング部材（１２）とによって、前記帯体（１５）の両端に形成した抜止体（１４）（１４）を離脱不能に挟みこんで構成したものであり、
前記二つのリングスライダ部材（１）（１）が、相互に略水平に対向するとともに、帯体（１５）によって前記リングスライダ部材（１）（１）間における襞の幅を一定に規制することを特徴とするカーテンの襞形態保持構造。
【請求項２】
カーテン生地（２）の上端（２０）にリングスライダ（Ｓ）を列設したカーテンと、該カーテンの各リングスライダ（Ｓ）を連通して当該カーテンを懸架するロッド（４）とを有するカーテンの襞形成保持構造であって、
リングスライダ（Ｓ）は、一つのリングスライダ部材（１）と帯体（１５）とからなり、前記リングスライダ部材（１）は、相互に係合する雄リング部材（１０）と雌リング部材（１２）とから形成され、また、帯体（１５）は、雌雄連結手段を備えるとともに、当該帯体（１５）の一端に抜止体（１４）を形成し、
前記雄リング部材（１０）と雌リング部材（１２）とによって、抜止体（１４）を離脱不能に挟み込んで構成されるものであり、
ロッド（４）にカーテンを取付けた状態において、対向する各一対のリングスライダ部材（１）の夫々の側周部に設けられた帯体（１５）同士を前記雌雄連結手段によって連結して、対向するリングスライダ部材（１）相互を略水平に対向するとともに、該一対のリングスライダ部材（１）間における襞の幅を一定に規制することを特徴とするカーテンの襞形態保持構造。
【請求項３】
帯体（１５）は、リングスライダ部材（１）の軸中心を基準として該リングスライダ部材（１）の側周部に沿って移動可能としたことを特徴とする請求項１又は２記載のカーテンの襞形成保持構造。
【請求項４】
抜止体（１４）は、帯体（１５）に対して合成樹脂を射出成型とすることにより、前記帯体（１５）と一体として設けたことを特徴とする請求項１、２又は３記載のカーテンの襞形成保持構造。
【請求項５】
二つのリングスライダ部材（１）（１）と帯体（１５）とからなり、
前記各リングスライダ部材（１）（１）は、夫々相互に係合する雄リング部材（１０）と雌リング部材（１２）とから形成され、また、前記帯体（１５）は、その両端に抜止体（１４）（１４）を形成し、
前記雄リング部材（１０）と雌リング部材（１２）とによって、前記帯体（１５）の両端に形成した抜止体（１４）（１４）を離脱不能に挟みこむことにより、帯体（１５）の両端にリングスライダ部材（１）を設けたことを特徴とするリングスライダ。
【請求項６】
一つのリングスライダ部材（１）と帯体（１５）とからなり、
前記リングスライダ部材（１）は、相互に係合する雄リング部材（１０）と雌リング部材（１２）とから形成され、また、帯体（１５）は、雌雄連結手段を備えるとともに、当該帯体（１５）の一端に抜止体（１４）を形成し、前記雄リング部材（１０）と雌リング部材（１２）とによって、抜止体（１４）を離脱不能に挟み込むことにより、リングスライダ部材（１０）の側周面に帯体（１５）を設けたことを特徴とするリングスライダ。
【請求項７】
帯体（１５）は、リングスライダ部材（１）の軸中心を基準として該リングスライダ部材（１）の側周部に沿って移動可能としたことを特徴とする請求項５又は６記載のリングスライダ。
【請求項８】
抜止体（１４）は、帯体（１５）に対して合成樹脂を射出成型することにより前記帯体（１５）に一体として設けたことを特徴とする請求項５、６又は７記載のリングスライダ。
【発明の詳細な説明】
【０００１】
【発明が属する技術分野】
本発明は、カーテンを懸架するロッドを、カーテン生地の上端側に列設されるハトメ状のリングスライダに通して使用するカーテンの襞形成保持構造、及び、当該カーテンに使用するリングスライダに関するものである。
【０００２】
【従来の技術】
従来より、カーテンの襞を形成し、その形態を保持するものとしては、カーテン生地の水平方向に取付ける固定帯と、カーテンの生地幅調節帯と、カーテン用フックとから構成し、前記固定帯は、２つの挿通穴用湾出部が適宜間隔を開けて上下二段に設置されて形成する挿通部を帯の水平方向に連続して設けて成り、固定帯の挿通穴用湾出部にカーテン用フックの固定杆を挿通させたことを特徴とするカーテンの波型プリーツを保持するための形態保護テープが公知である（例えば、特許文献１参照。）。
【０００３】
【特許文献１】
特開平９−１００９４号公報（第２−３頁）
【０００４】
【発明が解決しようとする課題】
上記特許文献１に係る発明は、カーテンの美感を向上すべく、カーテン上部において各襞を固定帯で固定して、一定間隔で襞を形成するものであるが、カーテン生地の上端側にハトメ状のリングスライダを利用したカーテンに使用するには不向きなものであった。
【０００５】
即ち、図１６に示すように、各襞を固定帯８で固定した場合、対向するハトメ状のリングスライダ５の相互が水平とならないことから、リングスライダ５内を連通して設けられるロッド７の軸方向に対して、当該リングスライダ５が平面視斜めに配置されることとなり、リングスライダ５の内縁の左右二箇所がロッド７に干渉し、カーテンを広げるようとカーテン生地６を引張ると、更に平面視におけるリングスライダ５の傾斜が更に大きくなり、リングスライダ５がロッド７に擦り付けられた状態で摺動を強いられるため、摩擦抵抗が大きくなり、ロッド７に対してリングスライダ５が円滑に摺動せず、スムーズにカーテンを広げることができないという不具合が生じるものであった。
【０００６】
また、各襞を固定帯８で固定すると、表面側の襞と裏面側の襞の双方が規制されることとなり、その結果、カーテンをその状態から広げることができなくなり、窓等の所定のサイズに対して、カーテン生地を多く消費するという欠点もあった。
【０００７】
その一方で、カーテンを懸架するロッドを、カーテン生地の上端側に列設されるハトメ状のリングスライダを通す形態のカーテンのみを対象として美感を向上させる襞保持構造や、当該リングスライダについては、一般的に配慮がなされておらず、前記したロッドに対してリングスライダが円滑に摺動しないという不具合を解消した上で、商品価値を向上することができれば、更に優れたリングカーテンを提供することができる。そして、このようなリングカーテンを製作容易とすることができれば、作業工数を低減することによって低コストで提供することができることとなる。
【０００８】
本発明は以上の事情に鑑みてなされたものであり、カーテン生地に列設されるリングスライダにロッドを連通するカーテンにおいて、襞を形成、保持可能するとともに、生地を多く消費することもなく、そして、ロッドに対するリングスライダの摺動を極めて円滑に行なうことができるカーテンの襞形成保持構造及びカーテン用リングスライダを低コストで提供することを、課題とするものである。
【０００９】
【課題を解決するための手段】
カーテン生地の上端にリングスライダを列設したカーテンと、該カーテンの各リングスライダを連通して当該カーテンを懸架するロッドとを有するカーテンの襞形成保持構造であって、リングスライダは、二つのリングスライダ部材と帯体とからなり、前記各リングスライダ部材は、夫々相互に係合する雄リング部材と雌リング部材とから形成され、また、前記帯体は、その両端に抜止体を形成し、前記雄リング部材と雌リング部材とによって、前記帯体の両端に形成した抜止体を離脱不能に挟みこんで構成したものであり、前記二つのリングスライダ部材が、相互に略水平に対向するとともに、帯体によって前記リングスライダ部材間における襞の幅を一定に規制するカーテンの襞形態保持構造、及び、リングスライダは、一つのリングスライダ部材と帯体とからなり、前記リングスライダ部材は、相互に係合する雄リング部材と雌リング部材とから形成され、また、帯体は、雌雄連結手段を備えるとともに、当該帯体の一端に抜止体を形成し、前記雄リング部材と雌リング部材とによって、抜止体を離脱不能に挟み込んで構成されるものであり、ロッドにカーテンを取付けた状態において、対向する各一対のリングスライダ部材の夫々の側周部に設けられた帯体同士を前記雌雄連結手段によって連結して、対向するリングスライダ部材相互を略水平に対向するとともに、該一対のリングスライダ部材間における襞の幅を一定に規制するカーテンの襞形態保持構造等を、課題を解決するための手段とする。
【００１０】
【発明の効果】
本発明によれば、カーテン生地の上端にリングスライダを列設したカーテンと、該カーテンの各リングスライダを連通して当該カーテンを懸架するロッドとを有するカーテンの襞形成保持構造であって、リングスライダは、二つのリングスライダ部材と帯体とからなり、前記各リングスライダ部材は、夫々相互に係合する雄リング部材と雌リング部材とから形成され、また、前記帯体は、その両端に抜止体を形成し、前記雄リング部材と雌リング部材とによって、前記帯体の両端に形成した抜止体を離脱不能に挟みこんで構成した場合には、前記二つのリングスライダ部材が、相互に略水平に対向するとともに、帯体によって前記リングスライダ部材間における襞の幅を一定に規制することによって、当該襞の幅を一定とすることができることは勿論、リングスライダ部材がロッドに擦り付けられた状態で摺動を強いられることがなく、摩擦抵抗の増大を防止することができ、ロッドに対するリングスライダ部材の摺動を円滑に行なうことができる。
【００１１】
また、本発明によれば、カーテン生地の上端にリングスライダを列設したカーテンと、該カーテンの各リングスライダを連通して当該カーテンを懸架するロッドとを有するカーテンの襞形成保持構造であって、リングスライダは、一つのリングスライダ部材と帯体とからなり、前記リングスライダ部材は、相互に係合する雄リング部材と雌リング部材とから形成され、また、帯体は、雌雄連結手段を備えるとともに、当該帯体の一端に抜止体を形成し、前記雄リング部材と雌リング部材とによって、抜止体を離脱不能に挟み込んで構成されるものであり、ロッドにカーテンを取付けた状態において、対向する各一対のリングスライダ部材の夫々の側周部に設けられた帯体同士を前記雌雄連結手段によって連結した場合においても、同様の効果を得ることができるとともに、帯体の長さを適宜調節することが可能となる。
【００１２】
更に、本発明によれば、帯体は、リングスライダ部材の軸中心を基準として該リングスライダ部材の側周部に沿って移動可能とすることにより、カーテンに対してリングスライダを取付ける際に、帯体の取付方向を考慮する必要がなく、製造工程において作業性を向上させることができる。
【００１３】
また、本発明の構成においては、前記したように、カーテンの襞の幅を一定に保持して、美感を向上させることができる一方で、隣り合う雌雄リングスライダの間で、カーテンの裏面側に形成されている襞は、帯体の規制を受けずに、自由な状態であることから、カーテン生地を引張ると、表側の襞のみが一定幅を維持しながら、カーテン全体が広がることで、窓等の所定サイズに対しても、通常のカーテン生地量と同程度で足り、カーテン生地の消費量の増大を招来しないものとすることができる。
【００１４】
【発明の実施の形態及び実施例】
図１は本発明の実施例１に係るカーテンの襞形成保持構造におけるカーテン生地の裏面にリングスライダを取付けた状態を示す正面図、図２は同実施例１に係るカーテンの襞形成保持構造において使用するリングスライダＳを示す正面図、図３は本発明の実施例１に係るカーテンの襞形成保持構造を示す平面図、図４は同実施例１に係る帯体の製造過程の説明図、図５は本発明の実施例２に係るカーテンの襞形態保持構造におけるカーテン生地を省略した雄側リングスライダの正面図、図６は同実施例２に係るカーテン生地を省略した雄側リングスライダの平面図、図７は同実施例２におけるカーテン生地を省略した雌側リングスライダの正面図、図８は同実施例２に係るカーテンにおけるカーテン生地を省略した雌側リングスライダの背面図、図９は同実施例２に係るカーテン生地の裏面にリングスライダを取付けた状態を示す正面図、図１０は同実施例２における雄側リングスライダの組立状態を示す縦断面図、図１１は同実施例２に係るカーテンの襞形態保持構造における雄側リングスライダの縦断面図、図１２は同実施例２における雄リング部材と帯体との摺動関係を示す説明図、図１３は同実施例２に係るカーテンの襞形成保持構造を示す平面図、図１４は本発明の実施例３に係るカーテンの襞形成保持構造における雌側リングスライダの正面図、図１５は本発明の他の実施例に係るカーテンの襞形成保持構造における雄側リングスライダの平面図、図１６は従来のカーテン取付構造を示す平面図である。
【００１５】
本発明の実施例１に係るカーテンの襞形成保持構造は、図１乃至図３に示すように、カーテン生地２の上端２０にリングスライダＳを列設したカーテンと、該カーテンの各リングスライダＳを連通して当該カーテンを懸架するロッド４によって構成されるものであり、
カーテンは、そのリングスライダ取付位置に、取付用の穴を予め形成したものとし、一方、リングスライダＳは、二つのリングスライダ部材１、１間に帯体１５を設けたものであり、中央に筒状の係合脚１１を形成するとともに該係合脚１１の基端から全周囲にフランジ部１００を形成した雄リング部材１０と、前記係合脚１１が嵌合する中央穴１９を備えた雌リング部材１２とによって、両端に抜止体１４、１４を形成した帯体における各端部と、カーテン生地２を、離脱不能として挟み込んで、当該カーテン生地２に取付けるものであり、リングスライダ部材１、１の側周部を、帯体１５が摺動する構成である。
【００１６】
そして、図３の平面図に示すように、両端のリングスライダ部材が相互に水平にとなるように対向するとともに、カーテン生地に一定幅の襞が形成される。尚、略完全に両端のリングスライダ部材を水平に対向させるために、帯体の長さやリングスライダ部材の外径サイズ、カーテンのリングスライダ取付用の穴の列設間隔を、予め設定することができる。
【００１７】
また、抜止体１４は、帯体１５に対して合成樹脂を射出成型することにより前記帯体１５に一体として設けたものとしている。当該帯体１５の製造工程において、図４に示すように、連続する帯体１５上に相互に近隣となる抜止体１４を端手方向に二つ設け、これを一定間隔で、長手方向へ連続して形成することで、前記近隣となる二つの抜止体１４、１４の間（図４中に示すＡ−Ａ線部）をカットする非常に簡単な作業によって、同じ長さの帯体１５を得ることができるものとしている。
【００１８】
次に、本発明の実施例２に係るカーテンの襞形成保持構造は、カーテン生地２の上端２０にリングスライダＳを列設したカーテンと、該カーテンの各リングスライダＳを連通して当該カーテンを懸架するロッド４によって構成されるが、一つのリングスライダ部材と、雌雄いずれかの係合手段を備えた帯体とから構成され、二つのリングスライダが一対となってはたらくものである。
【００１９】
具体的には、カーテン生地２の上端２０に取付けられるリングスライダＳは、図５及び図６に示す雄スナップボタン１３を有する帯体１５を備えたリングスライダＳ（以下、雄側リングスライダＳａという。）と、図７及び図８に示す雌スナップボタン１６を有する帯体１５を備えたリングスライダＳ（以下、雌側リングスライダＳｂという。）とがあり、中央に筒状の係合脚１１を形成するとともに、該係合脚１１の基端から全周囲にフランジ部１００を形成した雄リング部材１０と、前記係合脚１１が嵌合する中央穴１９を備えた雌リング部材１２と、一端に抜止体１４を有するとともに、雌雄いずれかの係合手段を設けた帯体１５とからなり、該帯体１５の抜止体１４側と、カーテン生地２とを前記雄リング部材１０と雌リング部材１２とによって挟み込んで、当該カーテン生地２に止着してなるものである。
【００２０】
本発明の襞形態保持構造においては、図９に示すように、カーテン生地２の裏面２３上端に対して、リングスライダＳは、雄側リングスライダＳａと雌側リングスライダＳｂとを、交互に配置したものとしている。
【００２１】
カーテン生地２に対するリングスライダＳの取付けに際しては、雄側リングスライダＳａを例として説明すると、図１０及び図１１に示すように、予めカーテン生地２に雄リング部材１０の係合脚１１を通すための穴２１を形成しておき、前記係合脚１１を穴２１に通した後、カーテン生地２と帯体１５の抜止体１４側を挟み込む状態で、雄リング部材１０の係合脚１１と雌リング部材１２の中央穴１９とを嵌めこんで、雄リング部材１０の係合脚１１をかしめることによって形成することができる。
【００２２】
雄リング部材１０と雌リング部材１２はカーテン生地２をその穴２１の縁部近傍で強くかしめておくことにより、カーテン生地２に対して強固に取付けるとともに、前記雄リング部材１０の外縁部１７と雌リング部材１２の外縁部１８との間には隙間ｔを設けることにより、該雄リング部材１０の外縁部１７と雌リング部材１２の外縁部１８が帯体１５の本体及び抜止体１４を強く圧迫せず、且つ、雄リング部材１０と雌リング部材１２に挟みこまれた抜止体１４が当該リングスライダ部材１から脱抜しない状態として、カーテン生地２にリングスライダＳを取付け、図１２に示すように、帯体１５が前記リングスライダ部材１の側周部を全周にわたって摺動する構成としたものである。
【００２３】
そして、襞を形成しながら、順次リングスライダ部材１内にロッド４を連通した状態において、図１３に示すように、帯体１５が対向する一対のリングスライダＳｂ、Ｓａを、当該帯体１５の雄スナップボタン１３の雄係合子１３０と雌スナップボタン１６の雌係合子１６０とを係合することで連結する。
【００２４】
本実施例２に係るカーテンの襞形成保持構造においては、予め所定サイズのカーテンにおいて、当該カーテンを広げる際、及び広げた状態で、略対向するリングスライダＳｂ、Ｓａが相互に平面視水平な状態、即ち、略完全に対向する状態となるように、雌雄スナップボタン１６、１３の位置が設定されている。
【００２５】
この状態においては、雌雄スナップボタンＳａ、Ｓｂを係合して連結された二本の帯体１５によって、雄側リングスライダＳａと、雌側リングスライダＳｂとが、略完全に対向した状態を保っており、襞は幅方向の復元力によって、幅方向に広がったり狭くなったりすることが生じないバランスのとれた状態となっている。
【００２６】
以上のような構成とすることにより、カーテンをどれだけ引張って広げても、ロッド４の通る高さ位置においては、雌雄リングスライダＳｂ、Ｓａの帯体１５によって、対向する当該雌雄リングスライダのＳｂ、Ｓａの距離は一定に保たれ、平面視水平状態が確保されることとなる。また、当該構成によって、カーテン上端２０で襞の幅を一定に保つことから、下方へ連続して形成されている襞が自ずと整えられる効果が得られる。
【００２７】
そして、対となる雌雄リングスライダＳｂ、Ｓａ間に形成される襞は、相互の帯体１５の連結によって、その幅が規制されるが、隣り合う雌雄リングスライダＳｂ、Ｓａとの間に、カーテンの裏面２３側で形成されている襞は、帯体１５の規制を受けずに、自由な状態であることから、カーテン生地２を引張ることで、表側の襞のみが一定幅を維持しながら、カーテン全体が広がることとなる。
【００２８】
尚、本実施例２においては、実施例１における帯体１５を使用することにより、該帯体１５の先端に露出する抜止体１４を強度保持の目的として使用することで、帯体１５がほつれないものとすることができるとともに、雌雄スナップボタン１６、１３を取付ける際の位置決めにも利用することができる。
【００２９】
次に、本発明の実施例３に係るカーテンの襞形態保持構造は、カーテン生地２の上端２０にハトメ状のリングスライダ部材１を列設したカーテンと、該カーテンの各リングスライダ部材１を連通して当該カーテンを懸架するロッド４によって構成される点、及び、リングスライダ１のカーテン生地２に対する取付構造等、基本構成において実施例２と同様のものであり、図１４に示すように、雌側リングスライダＳｂの帯体１５に複数の雌スナップボタン１６を列設した点において相違するものである。
【００３０】
即ち、当該実施例３に係るカーテンの襞形態保持構造は、種々のカーテンサイズに対して雌雄リングスライダＳｂ、Ｓａを平面視水平状態とすることができる点において、更に効果を発揮するものである。
【００３１】
一対の雌雄リングスライダＳｂ、Ｓａが平面視において水平となる距離は、カーテンの材質、編みや織り、サイズ等によって種々異なるものであり、また、リングスライダＳが単独の商品として流通することも想定されることから、既成のカーテンに対して、柔軟に対応できるものとしている。
【００３２】
尚、本発明における雌雄リングスライダＳｂ、Ｓａの帯体１５については、上記実施例２及び実施例３に限られるものではなく、各雌雄リングスライダＳｂ、Ｓａが襞の幅を同じ距離で連結することができればよいとする趣旨であり、例えば、雌側リングスライダＳｂの雌スナップボタン１６を一つのみ設けるとともに、雄側リングスライダＳａの雄スナップボタン１３を、帯体１５の長手方向に沿って一定間隔で複数列設することもできる。
【００３３】
また、雌雄スナップボタン１６、１３は、金属製のスナップボタンとして縫着等することもできるし、樹脂製のスナップボタンを帯体１５に対して一体に成型することもできる。
【００３４】
更に、帯体１５に係合手段を設ける場合には、前記した雌雄スナップボタン１６、１３に限らず、面ファスナーテープを一部に縫着したり、雌面ファスナーテープに代えてパイル生地片を使用する等、公知な種々の雌雄係合手段を使用することができる。
【００３５】
また、他の実施例として図１５に示すように、面ファスナーテープを使用する場合において、係着面上に雄係合子と雌係合子の双方を備えた雌雄混在面ファスナーテープ３０を使用することで、雄側リングスライダと雌側リングスライダとを区別せず、全てのリングスライダを共通化することもできる。
【００３６】
一方、帯体は実施例に開示した幅２０ｍｍ程度の太いベルト状のものに限られず、幅１０ｍｍ以内の細幅の紐状のものとすることもでき、或いは、一般的な紐を締縛する手段を含む趣旨であり、表側の各襞の幅を等しい寸法で連結できるものを意味する。
【図面の簡単な説明】
【図１】本発明の実施例１に係るカーテンの襞形成保持構造におけるカーテン生地の裏面にリングスライダを取付けた状態を示す正面図である。
【図２】本発明の実施例１に係るカーテンの襞形成保持構造において使用するリングスライダＳを示す正面図である。
【図３】本発明の実施例１に係るカーテンの襞形成保持構造を示す平面図である。
【図４】本発明の実施例１に係る帯体の製造過程の説明図である。
【図５】本発明の実施例２に係るカーテンの襞形態保持構造におけるカーテン生地を省略した雄側リングスライダの正面図である。
【図６】本発明の実施例２に係るカーテンの襞形態保持構造におけるカーテン用生地を省略した雄側リングスライダの平面図である。
【図７】本発明の実施例２に係るカーテンの襞形態保持構造におけるカーテン生地を省略した雌側リングスライダの正面図である。
【図８】本発明の実施例２に係るカーテンの襞形態保持構造におけるカーテン生地を省略した雌側リングスライダの背面図である。
【図９】本発明の実施例２に係るカーテンの襞形態保持構造におけるカーテンの裏面にリングスライダを取付けた状態を示す正面図である。
【図１０】本発明の実施例２に係るカーテンの襞形態保持構造における雄側リングスライダの組立状態を示す縦断面図である。
【図１１】本発明の実施例２に係るカーテンの襞形態保持構造における雄側リングスライダの縦断面図である。
【図１２】本発明の実施例２に係るカーテンの襞形態保持構造における雄側リングスライダと帯体との摺動関係を示す説明図である。
【図１３】本発明の実施例２に係るカーテンの襞形成保持構造を示す平面図である。
【図１４】本発明の実施例３に係るカーテンの襞形成保持構造における雌側リングスライダの正面図である。
【図１５】本発明の他の実施例に係るカーテンの襞形成保持構造における雄側リングスライダの平面図である。
【図１６】従来のカーテン取付構造を示す平面図である。
【符号の説明】
Ｓ      リングスライダ
Ｓａ    雄側リングスライダ
Ｓｂ    雌側リングスライダ
ｔ      隙間
１      リングスライダ部材
１０    雄リング部材
１００  フランジ部
１１    係合脚
１２    雌リング部材
１３    雄スナップボタン
１３０  雄係合子
１４    抜止体
１５    帯体
１６    雌スナップボタン
１６０  雌係合子
１７    外縁部
１８    外縁部
１９    中央穴
２    カーテン生地
２０    上端
２１    穴
２２    表面
２３    裏面
３０    雌雄混在面ファスナーテープ
４      ロッド
５      リングスライダ（従来）
６      カーテン生地（従来）
７      ロッド（従来）
８      固定帯（従来）
【図１】
2004173983.tif 000003
【図２】
2004173983.tif 000004
【図３】
2004173983.tif 000005
【図４】
2004173983.tif 000006
【図５】
2004173983.tif 000007
【図６】
2004173983.tif 000008
【図７】
2004173983.tif 000009
【図８】
2004173983.tif 000010
【図９】
2004173983.tif 000011
【図１０】
2004173983.tif 000012
【図１１】
2004173983.tif 000013
【図１２】
2004173983.tif 000014
【図１３】
2004173983.tif 000015
【図１４】
2004173983.tif 000016
【図１５】
2004173983.tif 000017
【図１６】
2004173983.tif 000018